(57)【要約】【課題】組立が簡素であり、組立のための部品の数の増大を抑制し、エキサイタの利用価値を高めること。【解決手段】内側に音声信号生成ユニット２８を内蔵する外装本体１と、外装本体１の正面側に取り付けられる広域的撓み振動板４とから構成される。外装本体１の正面側面積は広域的撓み振動板４の正面側面積に概ね等しく、広域的撓み振動板４は画像形成面に等しい広い面積を有し、外観をよくする。広域的撓み振動板４は振動体１８を形成し、振動体１８の振動は広域的撓み振動板４に振動を伝達する。外装本体１は第１コネクタ２２を形成し、広域的撓み振動板４は第２コネクタ２４を形成する。第１コネクタ２２と第２コネクタ２４とは互いに着脱自在に結合する。このような着脱自在性は、広域的撓み振動板４を外装本体１から分離することを容易にする。【選択図】          図２
2005094377.tif 000002
【特許請求の範囲】
【請求項１】
薄い板状の本体と、
前記本体の一面側に取り付けられ前記本体に振動を与えて前記本体を前記振動の振動数に対応する撓みを発生させる振動体と、
前記本体を地球に対して固定されている固定物体に支持する支持器具とを構成し、
前記支持器具は前記固定物体に対して振動絶縁性を有する振動絶縁体を形成し、
前記本体は前記本体の一面側にコネクタを形成し、前記コネクタには前記振動体に音声信号を送信する電気ケーブルの端部のコネクタが接続する
ディスプレイ。
【請求項２】
前記振動絶縁体は、前記固定物体の載置面と前記本体の下方部位との間に介設される
請求項１のディスプレイ。
【請求項３】
前記支持器具はスタンドを更に形成し、
前記本体の下方部位で穴が開けられ、前記スタンドは前記穴に通される螺子により前記本体に固定される
請求項２のディスプレイ。
【請求項４】
前記螺子は音声信号を出力する音声信号生成ユニットを前記本体に対して固着するために用いられる
請求項３のディスプレイ。
【請求項５】
前記支持器具はスタンドを更に形成し、
前記本体の下方部位で穴が開けられ、前記スタンドは前記穴に通される螺子により前記本体に固定され、前記螺子は画像信号を出力する画像形成ユニットを前記本体に対して固着するために用いられる
請求項３のディスプレイ。
【請求項６】
前記本体は透明ガラスで形成され、前記本体の周囲領域は不透明化され、前記振動体は前記周囲領域に配置される
請求項１のディスプレイ。
【請求項７】
前記本体の４隅に穴が開けられ、前記本体は前記穴を通る螺子により画像形成ユニットを内蔵する外装本体に固着され、前記本体は前記外装本体から分離されて前記固定物体に支持される
請求項１のディスプレイ。
【請求項８】
内側に音声信号生成ユニットを内蔵する外装本体と、
前記外装本体の正面側に取り付けられる広域的撓み振動板とを構成し、
前記外装本体の正面側面積は前記広域的撓み振動板の正面側面積に概ね等しく、
前記広域的撓み振動板は振動体を形成し、前記振動体の振動は前記広域的撓み振動板に振動を伝達し、
前記外装本体は第１コネクタを形成し、
前記広域的撓み振動板は第２コネクタを形成し、
前記第１コネクタと前記第２コネクタとは互いに着脱自在に結合する
ディスプレイの組立構造。
【請求項９】
前記第１コネクタと前記第２コネクタとは凹凸嵌合し、前記第１コネクタと前記第２コネクタとの凹凸嵌合は、前記外装本体と前記広域的撓み振動板との相対的位置関係を規定し、且つ、前記音声信号生成ユニットが出力する音声信号は前記第１コネクタと前記第２コネクタとを介して前記振動体に伝達される
請求項８のディスプレイの組立構造。
【請求項１０】
前記外装本体は複数位置で第１結合具を更に形成し、
前記広域的撓み振動板は複数位置で第２結合具を形成し、
前記第１結合具は、前記相対的位置関係を有して前記第２結合具に結合する
請求項８又は９のディスプレイの組立構造。
【請求項１１】
前記第１結合具と前記第２結合具とは、ワンタッチ式に着脱自在である
請求項１０のディスプレイの組立構造。
【請求項１２】
前記第１結合具は前記外装本体に形成される雌螺子穴であり、
前記第２結合具は、前記広域的撓み振動板の前記複数位置で開けられている穴に通される螺子である
請求項８のディスプレイの組立構造。
【請求項１３】
前記第１結合具と前記第２結合具の間に介設される振動絶縁体を更に構成する
請求項８のディスプレイの組立構造。
【請求項１４】
前記広域的撓み振動板を地球に対して固定されている固定物体に支持する支持器具を更に構成し、
前記支持器具は前記固定物体に対して振動絶縁性を有する振動絶縁体を形成し、
前記振動絶縁体は、前記固定物体の載置面と前記外装本体から分離された前記広域的撓み振動板の下方部位との間に介設される
請求項８のディスプレイの組立構造。
【請求項１５】
前記支持器具はスタンドを更に形成し、
前記広域的撓み振動板の下方部位で穴が開けられ、前記スタンドは前記穴に通される螺子により前記広域的撓み振動板に固定される
請求項８のディスプレイの組立構造。
【請求項１６】
前記螺子は前記外装本体に前記広域的撓み振動板を取り付けるために用いられる
請求項１５のディスプレイの組立構造。
【請求項１７】
前記音声信号生成ユニットは画像形成画面を形成している
請求項８〜１６から選択される１請求項のディスプレイの組立構造。
【請求項１８】
前記画像形成画面は、液晶画面又はプラズマ形成画面である
請求項１７のディスプレイの組立構造。
【請求項１９】
外装本体を製造するステップと、
前記外装本体に音声信号生成ユニットを接合するステップと、
前記外装本体に第１コネクタを接合するステップと、
広域的撓み振動板を製造するステップと、
前記広域的撓み振動板に振動体を接合するステップと、
前記広域的撓み振動板に第２コネクタを接合するステップと、
前記第１コネクタと前記第２コネクタを着脱自在に結合するステップとを構成し、
前記音声信号生成ユニットは、前記第１コネクタと前記第２コネクタとを介して前記振動板に電気的に接続する
ディスプレイの組立方法。
【請求項２０】
前記広域的撓み振動板と前記外装本体との間に振動絶縁体を介設するステップ
を更に構成する請求項１９のディスプレイの組立方法。
【請求項２１】
前記広域的撓み振動板を前記外装本体に複数箇所で結合具により結合するステップ
を更に構成する請求項１９のディスプレイの組立方法。
【請求項２２】
第１コネクタと第２コネクタを着脱自在に結合する前記ステップは、結合具により結合する前記ステップとは時間的に一致していない
請求項２１のディスプレイの組立方法。
【請求項２３】
結合具により結合する前記ステップは、
前記外装本体に螺子穴を形成するステップと、
前記広域的撓み振動板に穴を開けるステップと、
前記穴に螺子を挿入して前記螺子穴に前記螺子をねじ込むステップを形成する
請求項２１のディスプレイの組立方法。
【請求項２４】
結合具により結合する前記ステップは、前記穴と前記螺子の間に振動絶縁体を介設するステップを更に形成する
請求項２３のディスプレイの組立方法。
【発明の詳細な説明】
【技術分野】
【０００１】
本発明は、ディスプレイ、それの組立構造、及び、それの組立方法に関し、特に、液晶、プラズマの表示に伴うフラットスピーカに調和するディスプレイ、それの組立構造、及び、それの組立方法に関する。
【背景技術】
【０００２】
プラズマ表示技術、液晶表示技術の進展により、表示パネルの平面状大型化が促進されている。平面状大型化パネルは、薄型化とともに高級感化が求められる。更には、映像と音源との空間的一致対応による高臨場感の実現が促進されている。映像と音源との一致性を実現する技術は、後掲特許文献１で知られている。
【０００３】
公知の音源画像一致型ディスプレイは、外装パネルと、外装パネルの背面側に支持される正面側透明層（ガラス板）と、正面側透明層の背面側に配置される平面的画像生成層（液晶層と駆動層）と、正面側透明層の背面側に配置され正面側透明層に振動伝達的に接合する音源（エキサイタ）とから構成されていて、全体的に平面盤化されている。その平面盤は、壁掛けタイプとして提供され得る。正面側透明層は、平面的画像生成層を保護するとともに、平面型スピーカとして音再生層の機能を有している。正面側透明層と平面的画像生成層は、組立体の基準になる本体パネルに支持されて取り付けられる。外装パネルは、本体パネルとして形成され得る。
【０００４】
正面側透明層で再生される音波が外装パネル又は平面的画像生成層に伝播することは有効に回避されることが重要である。そのような伝播を回避するために、正面側透明層と平面的画像生成層との間に音波伝達減衰層が介設される。減衰層とエキサイタと既述の複数数層の相互の結合は複雑な組立てを招く恐れがある。組立のために必要である高価な部品の部品数の増大は、低廉化の妨げになる。
【０００５】
薄型化と大型化とによる表示装置は、その格調が高いことが重要である。そのような製品の普及のためには、高価格化を抑えることが求められる。高級品化のためには、装飾性が重要であるとともに、その簡素性が特に重要である。高い臨場感を与える大型平面化ディスプレイの組立の簡素化は、低廉化と高格調化を同時的に促進する。
【０００６】
組立の簡素化が求められる。組立のための部品の数の増大を抑えることが重要である。特に、画像表示に伴う音響設備のデザインの調和を実現することが重要である。
【０００７】
【特許文献１】特表２００２−５３３９５７号
【発明の開示】
【発明が解決しようとする課題】
【０００８】
本発明の課題は、組立が簡素でありディスプレイ、それの組立構造、及び、それの組立方法を提供することにある。
本発明の他の課題は、組立のための部品の数の増大を抑える画像表示に伴う音響設備のデザインの調和を実現するを提供することにある。
本発明の更に他の課題は、エキサイタの利用価値を高める画像表示に伴う音響設備のデザインの調和を実現するを提供することにある。
本発明の更に他の課題は、画像表示に伴う音響設備のデザインの調和を実現する画像表示に伴う音響設備のデザインの調和を実現するを提供することにある。
【課題を解決するための手段】
【０００９】
本発明によるディスプレイは、薄い板状の本体（４）と、本体（４）の一面側に取り付けられ本体（４）に振動を与えて本体（４）をその振動の振動数に対応する撓みを発生させる振動体（１８：エキサイタ）と、本体（４）を地球に対して固定されている固定物体に支持する支持器具（２９）とから構成されている。支持器具（２９）は固定物体に対して振動絶縁性を有する振動絶縁体（３１）を形成している。本体（４）は、本体（４）の一面側にコネクタ（２４）を形成している。コネクタ（２４）には振動体（１８）に音声信号を送信する電気ケーブル（３２）の端部のコネクタ（３３）が接続する。
【００１０】
本体（４）は、撓み振動を表面撓み波として伝達して本体（４）に触れる空気に共振して音響を立体化する。本体（４）は、スピーカとして独立しユーザーにより自由に単独で移動される。本体（４）は、装飾品として、洋室、和室、レストラン、映画館、ホテルのような多様な生活空間の壁又は床に取り付けられる。本体（４）は、音声生成器に対してケーブルで接続され、コネクタ（２４）の使用はその接続を簡素に容易化する。このようなフラットスピーカ（４）は、立体音が出る化粧板（屏風）として利用され得る。本体（４）につく塵は、その撓み振動波により容易に払い落とされ、スピーカを保護する保護器具は不要化される。このようなディスプレイは、画像用のディスプレイではなく音響ディスプレイと呼ばれるべき新概念のディスプレイを実現し、それ自体が装飾品、特に、音響装飾を提供することができる。
【００１１】
振動絶縁体（３１）は、固定物体の載置面と本体（４）の下方部位との間に介設される。振動絶縁体（３１）は、固定物体（例示：机、床）に振動を伝え難くする。振動絶縁体は、線状物（３４）として形成され得る。この場合には、本体（４）は、壁掛けスピーカとして用いられ得る。
【００１２】
支持器具は更にスタンド（２９）として用いられ得る。本体（４）の下方部位で穴（１５）が開けられ、スタンド（２９）は穴（１５）に通される螺子（１３）により本体（４）に固定され得る。そのような螺子（１３）は、音声信号を出力する音声信号生成ユニット（２８）を本体（４）に対して（外装本体１を介して）固着するためにも用いられ、螺子（１３）は２用途で兼用され、組立が簡素化される。本体（４）は透明ガラス又は透明フィルム（例示：エレクレットフィルム）で形成され、本体（４）の周囲領域（５）は不透明化され、振動体（１８）は周囲領域（５）に配置されて、正面側から見えない位置に配置されてる。
【００１３】
本体（４）の４隅に穴（１５）が開けられ、本体（４）は穴（１５）を通る螺子（１３）により画像形成ユニットを内蔵する外装本体（１）に固着され、本体（４）は外装本体（１）から分離されて固定物体に支持される。本体（４）は、外装本体（１）に対して着脱自在である。
【００１４】
本発明によるディスプレイの組立構造は、内側に音声信号生成ユニット（２８）を内蔵する外装本体（１又は３）と、外装本体（１）の正面側に取り付けられる広域的撓み振動板（４）とから構成される。外装本体（１）の正面側面積は広域的撓み振動板（４）の正面側面積に概ね等しく、広域的撓み振動板（４）は画像形成面に等しい広い面積を有し、外観をよくする。広域的撓み振動板（４）は振動体（１８）を形成し、振動体（１８）の振動は広域的撓み振動板（４）に振動を伝達する。外装本体（１）は第１コネクタ（２２又は２３）を形成し、広域的撓み振動板（４）は第２コネクタ（２４）を形成する。第１コネクタ（２２）と第２コネクタ（２４）とは互いに着脱自在に結合する。このような着脱自在性は、広域的撓み振動板（４）を外装本体（１）から分離することを容易にする。
【００１５】
第１コネクタ（２２）と第２コネクタ（２４）とは凹凸嵌合し、第１コネクタ（２２）と第２コネクタ（２４）との凹凸嵌合は、外装本体（１）と広域的撓み振動板（４）との相対的位置関係を規定し、且つ、音声信号生成ユニット（２８）が出力する音声信号は第１コネクタ（２２）と第２コネクタ（２４）とを介して振動体（１８）に伝達される。コネクタ結合は、外装本体（１）と広域的撓み振動板（４）との相対的位置関係を規定するとともに、外装本体（１）と広域的撓み振動板（４）との着脱を容易にする。
【００１６】
外装本体（１）は、複数位置で第１結合具（１２）を更に形成し、広域的撓み振動板（４）は複数位置で第２結合具（１３）を形成し、第１結合具（１２）は、既述の相対的位置関係を有して第２結合具（１３）に結合する。コネクタの位置決めは、第１結合具（１２）と第２結合具（１３）との位置決めを決定し、それらの組立が容易である。第１結合具（１２）と第２結合具（１３）とは、結果的にワンタッチ式に着脱自在化され得る。
【００１７】
第１結合具（１２）は外装本体に形成される雌螺子穴であり、第２結合具は、広域的撓み振動板（４）の複数位置で開けられている穴（１５）に通される螺子（１３）である。螺子の利用は、複数位置での組立と分解を簡素化することができる。
【００１８】
第１結合具（１２）と第２結合具（１３）の間に介設される振動絶縁体（１６）の追加は特に重要であり、広域的撓み振動板（４）の撓み振動が外装本体（１）に伝達することを有効に抑制することができる。
【００１９】
広域的撓み振動板（４）を地球に対して固定されている固定物体に支持する支持器具（２９又は３１）の追加は顕著に有効である。支持器具は、固定物体に対して振動絶縁性を有する振動絶縁体（３１）として形成される。振動絶縁体（３１）は、固定物体の載置面と外装本体（１）から分離された広域的撓み振動板（４）の下方部位との間に介設されることが特に有効である。
【００２０】
支持器具はスタンドとして追加的に形成される。広域的撓み振動板（４）の下方部位で穴（１５）が開けられ、スタンド（２９）は穴（１５）に通される螺子（１３）により広域的撓み振動板（４）に固定される。このように、螺子（１３）は、多様に用いられ得る。
【００２１】
螺子（１３）は、外装本体（１）に広域的撓み振動板（４）を取り付けるために用いられる。音声信号生成ユニット（２８）は画像形成画面を形成していることが通常に慣用的であり、画像形成画面は液晶画面又はプラズマ形成画面である。
【００２２】
本発明によるディスプレイの組立方法は、外装本体（１）を製造するステップと、外装本体（１）に音声信号生成ユニット（２８）を接合するステップと、外装本体（１）に第１コネクタ（２２）を接合するステップと、広域的撓み振動板（４）を製造するステップと、広域的撓み振動板（４）に振動体（１８）を接合するステップと、広域的撓み振動板（４）に第２コネクタ（２４）を接合するステップと、第１コネクタ（２２）と第２コネクタ（２４）を着脱自在に結合するステップとから構成されている。音声信号生成ユニット（２８）は、第１コネクタ（２２）と第２コネクタ（２４）とを介して振動板（４）に電気的に接続する。
【００２３】
コネクタどうしの凹凸嵌合によりワンタッチ式に外装本体（１）と広域的撓み振動板（４）との結合が可能であり、このような結合は全体の組立を簡素化し、更には、電気的配線の組立を同時化することができる。
【００２４】
広域的撓み振動板（４）と外装本体（１）との間に振動絶縁体（１６）を介設するステップの追加は音質保持のために有効である。広域的撓み振動板（４）を外装本体（１）に複数箇所で結合具により結合するステップの追加は、有効である。
【００２５】
第１コネクタ（２２）と第２コネクタ（２４）を着脱自在に結合するステップは、結合具により結合するステップとは時間的に一致していない。両ステップが同時に実行されず、いずれのステップが先行する場合にも組立作業が簡素化される。一方のステップで広域的撓み振動板（４）と外装本体（１）との間の相対的位置関係が規定され、他のステップの位置合わせが不要化される。
【００２６】
結合具により結合するステップは、外装本体（１）に螺子穴を形成するステップと、広域的撓み振動板（４）に穴（１５）を開けるステップと、穴（１５）に螺子（１３）を挿入して螺子穴に螺子（１３）をねじ込むステップとから形成されている。螺子（１３）による組立は、１箇所ずつで実行され、その実行が容易である。
【００２７】
結合具により結合するステップは、穴（１５）と螺子（１３）の間に振動絶縁体（１６）を介設するステップが効果的に追加される。振動絶縁処理が組立と同時に実行され、その組立が簡素化される。
【発明の効果】
【００２８】
本発明による画像表示に伴う音響設備のデザインの調和を実現することができる。特には、そのようなディスプレイの組立の簡素化が促進される。
【発明を実施するための最良の形態】
【００２９】
本発明によるディスプレイの実現態は、平面広域スピーカが外装体の正面側に取り付けられている。その外装体１は、図１に示されるように、背面側外装体２と正面側（手前側）外装体３とから形成されている。その平面広域スピーカ（ＤＭスピーカ：distributed mode スピーカ）４は、正面側外装体３の正面側で正面側外装体３に取り付けられている。平面広域スピーカは、フラットスピーカとも呼ばれている。
【００３０】
平面広域スピーカ４は、１枚の平面的透明ガラス板で形成されている。平面広域スピーカ４の周囲部分５は、背面側で色塗り処理が行われ不透明化されている。平面広域スピーカ４の周囲部分５で囲まれる中央部分は、矩形状の透明部分６として形成されている。透明部分６は、後述される液晶画面を見る窓として形成されている。外装体１は、台７に支持されて、机面のような面から立ち上がっている。外装体１の下側辺には、複数の画像色調調整器具８が配列されている。
【００３１】
図２は、外装体１の正面側外装体３と平面広域スピーカ４との配置関係の詳細を示している。正面側外装体３は、中央正面部分９と中央正面部分９の上下左右部位から背面側に向く周囲縁部分１１とから形成されている。中央正面部分９と周囲縁部分１１は、一体的樹脂成形により一体化されている。
【００３２】
周囲縁部分１１の近傍に位置し中央正面部分９の周縁領域の４隅には、背面側に向く螺子溝形成凹部１２が正面側外装体３の一部分として形成されている。平面広域スピーカ４の不透明部分である周囲部分５には、螺子溝形成凹部１２に対向する対向位置で、螺子１３の螺子軸１４が通る螺子通し穴１５が開けられている。振動絶縁グロメット１６は、螺子通し穴１５に無理的に押し込まれて嵌め込まれる。振動絶縁グロメット１６は、弾性材料（例示：ゴム）で形成される中空状の円筒体に形成されている。振動絶縁グロメット１６の筒穴に、螺子１３の螺子軸１４が通される。螺子軸１４の先頭部位の形成されている雄螺子部分は、螺子溝形成凹部１２の内側に形成されている雌螺子溝にねじ込まれる。螺子軸１４の外周面と螺子通し穴１５の内周面との間には、振動絶縁グロメット１６の一部分が介在している。螺子軸１４は、半割り構造に形成されていることが振動伝達性を弱める点で好ましい。螺子１３の頭部分と振動絶縁グロメット１６の外側端面との間に弾性的カラー１７が挿入されることが好ましい。
【００３３】
エキサイタと呼ばれる音再生器１８は、その振動面が平面広域スピーカ４の周囲部分５の背面（裏面）に面接触して接合している。音再生器１８は、音対応電圧を受けて振動する振動板を備えている。その振動板の前面は、振動面１９に一致している。音再生器１８は、周囲部分５の裏面に固着するブラケット２０により支持されている。ブラケット２０の背面側部分と音発生器１８の環状周域との間に環状減衰板（振動絶縁板）２１が介設される。環状減衰板２１としては、環状スポンジ状板が適正に用いられる。ブラケット２０は、周囲部分５の背面（裏面）に接着層を介して貼着される。その接着層は、ブラケット２０の接合部分の一部分として形成されている。
【００３４】
正面側外装体３の中央正面部分９の下側部分は、コネクタ装着凹部２２として形成されている。コネクタ装着凹部２２の凹面側に、ディスプレイ本体側接続コネクタ２３が嵌め込まれている。周囲部分５の下側部分の背面側に、スピーカ側接続コネクタ２４が取り付けられている。ディスプレイ本体側接続コネクタ２３の針状凸部は、スピーカ側接続コネクタ２４の凹部に差し込まれる。音対応電圧は、ディスプレイ本体側接続コネクタ２３からスピーカ側接続コネクタ２４に伝達される。音発生器１８の電圧−振動変換器（図示されず）は、ケーブル２５を介してスピーカ側接続コネクタ２４の電極端子２６に電気的に接続している。振動変換器（振動慣性板）としては、既述の特許文献１で紹介されているように、電気力学的励振器、圧電式励振器、透明圧電フィルム、エレクトレットフィルムが適正に用いられ得る。
【００３５】
音発生器１８に生起される音対応振動を受容する平面広域スピーカ４には、その音対応振動に対応する振動撓みが発生する。その振動撓みが平面広域スピーカ４の中で伝播する速度は、平面広域スピーカ４が接触する空気の中で伝播する音波の速度に等しいことが知られている。その空気に、平面広域スピーカ４の振動撓みに対応する振動が伝達される。このように、平面広域スピーカ４は、音と同じ振動数で振動する公知のスピーカの振動板に相当している。平面広域スピーカ４の振動撓みは、振動絶縁グロメット１６で減衰されて正面側外装体３のような剛体に伝達され難い。音発生器１８の撓み振動は、環状減衰板２１で減衰してその側の面の空気に伝達され難い。
【００３６】
図３は、本発明によるディスプレイの組立方法の組立方法の実施の形態を示している。
組立ステップＳ１：
平面広域スピーカ４の既述の４隅に螺子通し穴１５が開けられる。振動絶縁グロメット１６が螺子通し穴１５に嵌め込まれ、振動絶縁グロメット１６の部分領域の周囲面が螺子通し穴１５に密着的に接合する。弾性的カラー１７は、振動絶縁グロメット１６の外側端面にあてがわれ、又は、振動絶縁グロメット１６の軸心穴に嵌め込まれる。
組立ステップＳ２：
組立ステップＳ１に先だって、又は、組立ステップＳ１に同時進行的に、図４に示されるように、音発生器１８の背面側の外周側開放凹部２７に環状減衰板２１が嵌め込まれる。
【００３７】
組立ステップＳ３：
次に、ブラケット２０が音発生器１８の背面又は環状減衰板２１の背面に当てられて、ブラケット２０の接合部分の正面が正面側外装体３の周囲部分５の背面に押しつけられる。このような組立は、自動機械化され得る。ブラケット２０の接合部分の正面に一致する接着性面は、周囲部分５の背面に接着的に接合する。
【００３８】
組立ステップＳ４：
音発生器１８とスピーカ側接続コネクタ２４の電極端子２６との間が、図２に示されるように、ケーブル２５により電気的に接続される。
組立ステップＳ５：
正面側外装体３が平面広域スピーカ４に相対的に接近させられる。正面側外装体３と平面広域スピーカ４の接近により、ディスプレイ本体側接続コネクタ２３がスピーカ側接続コネクタ２４に凹凸嵌合して、正面側外装体３と平面広域スピーカ４が規定結合位置で結合する。ディスプレイ本体側接続コネクタ２３とスピーカ側接続コネクタ２４とは、正面側外装体３と平面広域スピーカ４との相対的位置関係を規定する。螺子１３の螺子軸１４が、弾性的カラー１７に差し込まれる。螺子軸１４が振動絶縁グロメット１６に通されて、螺子軸１４の先頭部分が螺子溝形成凹部１２の雌螺子溝にねじ込まれる。このような螺子結合が４箇所で実行される。
【００３９】
組立ステップＳ６：
正面側外装体３に、液晶表示パネル２８が嵌め込まれる。液晶表示パネル２８は、図５に示されるように、正面側外装体３の矩形窓（透明部分）に位置的に合致することが可能である。
【００４０】
図６は、平面広域スピーカ４を卓上に載置する際の載置安定器具を示している。その載置安定器具は、弾性的カラー１７又は螺子１３の螺子軸１４に対して結合するスタンドバー２９と、平面広域スピーカ４の４隅のうちの下側の２隅の直交角部位に嵌め込まれる振動絶縁ダンパー３１とから形成されている。スタンドバー２９は、平面広域スピーカ４を正面側外装体３に取り付けるためにも使用される螺子１３により締め付けられて平面広域スピーカ４に対して固定される。平面広域スピーカ４は、図７に示されるように、振動絶縁ダンパー３１とスタンドバー２９とを介して卓上面に接地され、２箇所の振動絶縁ダンパー３１と２箇所のスタンドバー２９により卓上面のような面に安定的に載置されて支持される。
【００４１】
図７は、そのような載置安定状態で、図７に示されるように、透明部分６は卓上面に対して９０度又は９０度近傍の適正角度θで傾斜している。平面広域スピーカ４は、外装体１から離脱し機械的には独立して分離されている。この場合には、スピーカ側接続コネクタ２４は他のケーブル３２の先端の他のコネクタ３３（図６参照）がスピーカ側接続コネクタ２４に差し込まれる。他のケーブル３２の他端は、液晶表示パネル２８に接続されている。他のケーブル３２は適正な長さを有していて、平面広域スピーカ４は面上で自由に移動され得る。平面広域スピーカ４が外装体１から離脱した状態では、液晶表示パネル２８の正面側は、図５に示されるように、完全に正面側に露出している。液晶表示パネル２８の表示画面を見るユーザーは、机面、床面のような面の上で好む位置に好む角度で、平面広域スピーカ４を載置して、その立体音響感を自由に選択して楽しむことができる。
【００４２】
図８は、平面広域スピーカ４の単独の設置方法の実施の他の形態を示している。実施の本形態では、図９に示されるように、壁掛け設置である点で、実施の図７の形態と異なっている。紐、ワイア、チェーンのような屈撓性がある線状物３４の両端の小環状具３５が平面広域スピーカ４の螺子通し穴１５の背面側の開口に当てられる。螺子通し穴１５と小環状具３５の共通軸心に螺子１３の螺子軸１４が通され、螺子軸１４の先頭部位の雄螺子溝にナット３６がねじ込まれる。
【００４３】
図９は、平面広域スピーカ４を吊り式に壁に掛ける設置方法を示している。線状物３４の中央部位が、壁３７に取り付けられている掛け具３８に吊されて壁３７に支持される。掛け具３８としては、木ねじのような化粧ねじが用いられている。同じ螺子１３は、壁掛けのためにも外装体１の装着のためにも共用されている。
【００４４】
本発明によるディスプレイは、液晶型に限られず、プラズマ型に適正に利用され得る。
【図面の簡単な説明】
【００４５】
【図１】図１は、本発明によるディスプレイの組立構造の実施の形態を示す斜軸投影図である。
【図２】図２は、図１のＩＩ−ＩＩ線断面図である。
【図３】図３は、本発明によるディスプレイの組立構造の実施の他の形態を示す斜軸投影図である。
【図４】図４は、ブラケットを示す断面図である。
【図５】図５は、本発明によるディスプレイの組立構造の実施の更に他の形態を示す斜軸投影図である。
【図６】図６は、本発明によるディスプレイの組立構造の実施の更に形態を示す斜軸投影図である。
【図７】図７は、本発明によるディスプレイの組立構造の実施の更に他の形態を示す斜軸投影図である。
【図８】図８は、本発明によるディスプレイの組立構造の実施の更に他の形態を示す斜軸投影図である。
【図９】図９は、本発明によるディスプレイの組立構造の実施の更に他の形態を示す斜軸投影図である。
【符号の説明】
【００４６】
４…本体（広域的撓み振動板）
５…周囲領域
１２…第１結合具
１３…螺子（第２結合具）
１５…穴
１６…振動絶縁体
１８…振動体（エキサイタ）
２９…支持器具（スタンド）
２２…第１コネクタ
２４…第２コネクタ（コネクタ）
２８…音声信号生成ユニット
２９…支持器具（スタンド）
３１…支持器具（振動絶縁体）
３２…電気ケーブル
３３…コネクタ
３４…線状物
【図１】
2005094377.tif 000003
【図２】
2005094377.tif 000004
【図３】
2005094377.tif 000005
【図４】
2005094377.tif 000006
【図５】
2005094377.tif 000007
【図６】
2005094377.tif 000008
【図７】
2005094377.tif 000009
【図８】
2005094377.tif 000010
【図９】
2005094377.tif 000011